(57)【要約】【課題】非接触の方法により、一定の範囲内に立った人の身長を迅速かつ正確に測定することができる光学身長測定器を提供する。【解決手段】レンズ１００を、駆動装置により被測定者１０４の高度方向と平行して移動し、且つ被測定者１０４に対してイメージングを行えるように配設する。感光センサー１０２を前記レンズ１００のイメージを形成する側に設け、且つ、駆動時に形成されたイメージに対して感知測定を行う。前記レンズ１００が被測定者１０４の頭頂の所在高度を越すときに、前記感光センサー１０２の出力がホッピングすることに基づき、この時のレンズ１００の所在高度から被測定者１０４の身長を確定する。【選択図】図１
2010516354.tif 000002
【特許請求の範囲】
【請求項１】
被測定者の高度方向と平行して移動され、且つ被測定者のイメージングを行うためのレンズと、
前記レンズのイメージ形成を行う側に設けられ、且つ形成したイメージに対して感知測定を行う感光センサーと、
前記レンズを被測定者の高度方向と平行する方向で往復して移動するように駆動させる駆動装置と、を備え、
前記レンズが被測定者の頭頂の所在高度を越すときにホッピングする前記感光センサーの出力に基づき、この時のレンズの所在高度により被測定者の身長を確定する
ことを特徴とする光学身長測定器。
【請求項２】
前記レンズは被測定者から発した赤外線によりイメージングを行うのに用いられ、前記感光センサーは被測定者の赤外線映像を感知して測定するのに用いられる
ことを特徴とする請求項１に記載の光学身長測定器。
【請求項３】
被測定者の頭頂に置くためのサブ光源をさらに備え、
前記レンズは前記サブ光源に対してイメージングを行い、
前記レンズが被測定者の頭頂の所在高度を越すときにホッピングする前記感光センサーの出力に基づき、この時のレンズの所在高度及びサブ光源から被測定者までの高さにより被測定者の身長を確定する
ことを特徴とする請求項１に記載の光学身長測定器。
【請求項４】
前記サブ光源は所定波長の光線を発出するものであり、前記感光センサーは相応的に前記サブ光源から発出した所定波長の光線を感知して測定する
ことを特徴とする請求項３に記載の光学身長測定器。
【請求項５】
前記サブ光源はトリガースイッチをさらに備え、
前記サブ光源が被測定者の頭頂に置かれると、前記トリガースイッチが閉じて、前記サブ光源が起動する構成である
ことを特徴とする請求項３に記載の光学身長測定器。
【請求項６】
被測定者と感光センサーとの間の光路に設けられ、且つ被測定者から発した赤外線又はサブ光源から発出した所定波長の光線のみを通ることを許すフィルターをさらに備える
ことを特徴とする請求項１乃至5のいずれか１項に記載の光学身長測定器。
【請求項７】
前記レンズは少なくとも一つの凸レンズを備える
ことを特徴とする請求項１乃至5のいずれか１項に記載の光学身長測定器。
【請求項８】
前記レンズは小穴式又はスロット式である
ことを特徴とする請求項１乃至5のいずれか１項に記載の光学身長測定器。
【請求項９】
前記感光センサーは前記レンズのイメージ平面と光軸との交差点に設けられる
ことを特徴とする請求項１乃至5のいずれか１項に記載の光学身長測定器。
【請求項１０】
前記感光センサーの出力のホッピングは、前記レンズが被測定者の頭頂の所在高度又はサブ光源の所在高度を越すときに、前記感光センサーが被測定者又はサブ光源のイメージを検出しはじめ、又は検出できなくなることで生じる
ことを特徴とする請求項１乃至5のいずれか１項に記載の光学身長測定器。
【請求項１１】
被測定者の身長を計算するためのプロセッサーユニットと、
測定結果を表示するための表示ユニットと、
をさらに備える
ことを特徴とする請求項１乃至5のいずれか１項に記載の光学身長測定器。
【請求項１２】
被測定者の高度方向と平行する方向に間隔で配置された少なくもと二つのレンズと
各レンズのイメージ側に設けられた感光センサーと、を備え、
前記少なくとも二つのレンズは被測定者の頭頂に対してイメージングを行うことに用いられ、
前記各感光センサーが感知して測定した被測定者の頭頂のイメージから光軸までの距離及び前記各レンズの高さに基づき、被測定者の身長を確定する
ことを特徴とする光学身長測定器。
【請求項１３】
前記レンズは被測定者から発した赤外線によりイメージングを行うのに用いられ、前記感光センサーは被測定者の赤外線映像を感知して測定することに用いられる
ことを特徴とする請求項12に記載の光学身長測定器。
【請求項１４】
被測定者の頭頂に置くためのサブ光源をさらに備え、
前記少なくとも二つのレンズはサブ光源に対してイメージングを行うことに用いられ、
前記各感光センサーが感知して測定したサブ光源の映像から光軸までの距離、前記各レンズの高さ及びサブ光源から被測定者の頭頂までの距離に基づき、被測定者の身長を確定する
ことを特徴とする請求項12に記載の光学身長測定器。
【請求項１５】
前記サブ光源は所定波長の光線を発出するものであり、前記感光センサーは相応的に前記サブ光源から発出した所定波長の光線を感知して測定する
ことを特徴とする請求項14に記載の光学身長測定器。
【請求項１６】
前記サブ光源はトリガースイッチをさらに備え、
前記サブ光源が被測定者の頭頂に置かれると、前記トリガースイッチが閉じて、前記サブ光源が起動する構成である
ことを特徴とする請求項14に記載の光学身長測定器。
【請求項１７】
前記レンズを被測定者の高度方向と平行し往復して移動させるように駆動する駆動装置をさらに備える
ことを特徴とする請求項12乃至16のいずれか１項に記載の光学身長測定器。
【請求項１８】
被測定者と感光センサーとの間の光路に設けられ、且つ被測定者から発した赤外線又はサブ光源から発出した所定波長の光線のみを通ることを許すフィルターをさらに備える
ことを特徴とする請求項12乃至16のいずれか１項に記載の光学身長測定器。
【請求項１９】
前記レンズは少なくとも一つの凸レンズを備える
ことを特徴とする請求項12乃至16のいずれか１項に記載の光学身長測定器。
【請求項２０】
前記レンズは小穴式又はスロット式である
ことを特徴とする請求項12乃至16のいずれか１項に記載の光学身長測定器。
【請求項２１】
前記感光センサーは前記レンズのイメージ平面に設けられる
ことを特徴とする請求項12乃至16のいずれか１項に記載の光学身長測定器。
【請求項２２】
前記少なくもと二つのレンズは、被測定者の高度方向と平行する同一直線に設けられ、且つレンズの光軸が互いに平行するように配されている
ことを特徴とする請求項12乃至16のいずれか１項に記載の光学身長測定器。
【請求項２３】
前記感光センサーは単列の感光ユニット又は感光ユニットアレイから構成される
ことを特徴とする請求項12乃至16のいずれか１項に記載の光学身長測定器。
【請求項２４】
被測定者の身長を計算するためのプロセッサーユニットと、
測定結果を表示するための表示ユニットと、
をさらに備える
ことを特徴とする請求項12乃至16のいずれか１項に記載の光学身長測定器。
【発明の詳細な説明】
【技術分野】
【０００１】
本発明は、身長測定装置に関し、特に光学方式を利用して身長を測定する装置に関する。
【背景技術】
【０００２】
身長を測定する方法又は装置が多く存在している。最も簡単な方法は物差しで直接に測ることである。当然ながら科学技術の発展に伴い、現在の身長計は形式が多様化しており、デジタル化へ発展しつつある。測定もよりすばやく行われ、より便利で正確になされる。例えば超音波身長計は、超音波で被測定物からの反射波を受信する時間差により、身長を測定するものである。
【先行技術文献】
【特許文献】
【０００３】
【特許文献１】ＣＮ１０１０１１２４４Ａ
【特許文献２】ＧＢ２１４０１５７Ａ
【特許文献３】ＣＮ１７９５８２０Ａ
【特許文献４】ＣＮ１７６８６９７Ａ
【発明の概要】
【発明が解決しようとする課題】
【０００４】
このような超音波身長計は、超音波発射器又は超音波を反射する物体を頭頂部に置くことで、初めて測定を実現できる。
換言すると、これらの身長計では接触の方式を取らなければ身長情報を測定することができない。従って、相応的に一定の不便をもたらしている。
そこで本発明は、人が一定の範囲内に立ちさえすれば、迅速かつ正確に身長を測定できる光学身長測定器を提供することを目的としている。
【課題を解決するための手段】
【０００５】
上記目的を達成するため、本発明は下記の技術案を採用する。
本発明の実施例の第一方面では、レンズ、感光センサー及び駆動装置を備える光学身長測定器を提供する。前記レンズは、被測定者の高度方向と平行して移動し、且つ被測定者に対してイメージングを行うことができる；前記感光センサーは、前記レンズのイメージを形成する側に設けられ、且つ形成されたイメージに対して感知測定を行う；前記駆動装置は、前記レンズを被測定者の高度方向と平行する方向で往復して移動するように駆動するものである。
【０００６】
前記レンズが被測定者の頭頂の所在高度を越す時、前記感光センサーの出力がホッピングするので、この時のレンズの所在高度に基づき、被測定者の身長を確定することができる。
また、前記レンズが被測定者の頭頂の所在高度又はサブ光源の所在高度を越す時でも、前記感光センサーは被測定者又はサブ光源のイメージを検出しはじめ、又は検出できなくなるので、その出力がホッピングする。
【０００７】
また、前記レンズで被測定者から発した赤外線によりイメージングを行い、前記感光センサーで被測定者の赤外線映像を感知して測定することが好適である。
前記光学身長測定器は、被測定者の頭頂に置くサブ光源をさらに含むようにしてもよい。この場合、前記レンズが前記サブ光源に対してイメージングを行い、前記レンズがサブ光源の所在高度を越すと、前記感光センサーの出力がホッピングする。従って、この時のレンズの所在高度及びサブ光源から被測定者の頭頂までの高さに基づき、被測定者の身長を確定することができる。
【０００８】
前記サブ光源は所定波長の光線を発出し、前記感光センサーは相応的に前記サブ光源から発出した所定波長の光線を感知して測定する構成とすることが好適である。
前記サブ光源にはトリガースイッチをさらに備えるようにするのが好適である。前記サブ光源が被測定者の頭頂に置かれると、前記トリガースイッチが閉じて、前記サブ光源が起動するようになる。
【０００９】
さらに好ましくは、前記光学身長測定器は被測定者と感光センサーとの間の光路に設けられ、且つ被測定者から発した赤外線又はサブ光源から発出した所定波長の光線のみを通すことを許すフィルターを備えるようにする。
さらに好ましくは、前記レンズは少なくとも一つの凸レンズを備えるものとする。又は前記レンズは、小穴式或いはスロット式とすることもできる。
【００１０】
さらに好ましくは、前記感光センサーを、前記レンズのイメージ平面と光軸との交差点に設けることもできる。
さらに、前記光学身長測定器は被測定者の身長を測定するためのプロセッサーユニットを備えることが好ましい。
また、前記光学身長測定器は測定結果を表示するための表示ユニットを含むようにしてもよい。
【００１１】
本発明の実施例の第二方面では、少なくとも二つのレンズと感光センサーとを備える光学身長測定器を提供する。前記二つのレンズは、被測定者の高度の方向と平行する方向に間隔で配置される；前記感光センサーは、各レンズのイメージを形成する側に設けられる。前記二つのレンズは被測定者の頭頂に対するイメージングに用いられ、前記感光センサーが感知して測定した被測定者の頭頂のイメージから光軸までの距離及びレンズの高さに基づき、被測定者の身長を確定する。
【００１２】
ここで、前記レンズは被測定者から発した赤外線によりイメージングを行い、前記感光センサーは被測定者の赤外線映像を感知して測定するのに用いることが好適である。
前記光学身長測定器には、被測定者の頭頂に置くサブ光源を含むようにしてもよい。そのうち、前記少なくとも二つのレンズはサブ光源に対するイメージングに用いられ、前記感光センサーが感知して測定したサブ光源のイメージから光軸までの距離、レンズの高さ及びサブ光源から被測定者の頭頂までの距離に基づき、被測定者の身長を確定する。
【００１３】
ここで、前記サブ光源は所定波長の光線を発出し、前記感光センサーは相応的に前記サブ光源から発出した所定波長の光線を感知して測定するようにすることが好適である。
より好ましくは、前記サブ光源はトリガースイッチをさらに備え、前記サブ光源が被測定者の頭頂に置かれるようにしてもよい。これにより前記トリガースイッチが閉じて、前記サブ光源が起動するようになる。
【００１４】
また、前記光学身長測定器は、前記レンズを被測定者の高度方向と平行する方向で往復して移動するように駆動する駆動装置を含むようにしてもよい。
さらに好ましくは、前記光学身長測定器は被測定者と感光センサーとの間の光路に設けられ、且つ被測定者から発した赤外線又はサブ光源から発出した所定波長の光線のみを通すことを許すフィルターを備える構成としてもよい。
【００１５】
さらに好ましくは、前記レンズを少なくとも一つの凸レンズを備える構成とするか、又は前記レンズを小穴式或いはスロット式とすることもできる。
さらに好ましくは、前記感光センサーは前記レンズのイメージ平面に設けることもできる。
さらに好ましくは、前記少なくとも二つのレンズは、被測定者の高度方向と平行する同一直線に設けられ、且つレンズは光軸が互いに平行になるように構成することもできる。
【００１６】
さらに好ましくは、前記感光センサーは単列の感光ユニット又は感光ユニットアレイから構成することもできる。
さらに好ましくは、前記光学身長測定器は、被測定者の身長を算出するためのプロセッサーユニットを含むようにしてもよい。
さらに、前記光学身長測定器は、測定結果を表示するための表示ユニットを含むようにしてもよい。
【発明の効果】
【００１７】
本発明による有利な効果として、被測定者が測定計の測定範囲内にありさえすれば、被測定者から発した赤外線（又はサブ光源から発した所定波長の光線）に基づき、被測定者又は被測定者の頭頂（又はサブ光源）が形成したイメージを感知して測定することにより、被測定者の身長に対する測定が実現できるようになる。これにより、迅速かつ正確で、より便利に測定を行うことができる。
【図面の簡単な説明】
【００１８】
【図１】本発明の実施例による、レンズの光軸と被測定者の頭頂とが同一高度にある光学身長測定器の略図である。
【図２】本発明の実施例による、レンズの光軸が被測定者の頭頂より高い光学身長測定器の略図である。
【図３】本発明の実施例による、レンズの光軸が被測定者の頭頂より低い光学身長測定器の略図である。
【図４】本発明の実施例による、サブ光源を採用した光学身長測定器の略図である。
【図５】本発明の実施例によるサブ光源の構造を示す図である。
【図６】レンズの光軸がサブ光源の所在高度より高い場合、サブ光源のイメージング位置を示す図である。
【図７】レンズの光軸がサブ光源の所在高度より低い場合、サブ光源のイメージング位置を示す図である。
【図８】レンズの光軸とサブ光源とが同一高度にある場合、サブ光源のイメージング位置を示す図である。
【図９】フィルターと感光センサーとの相対位置を示す図である。
【図１０】本発明のもう一つの実施例による光学身長測定器の略図である。
【図１１】本発明のもう一つの実施例による光学身長測定器に基づき、被測定者の身長を計算することを示す図である。
【図１２】本発明のもう一つの実施例による、サブ光源を採用した光学身長測定器の略図である。
【図１３】単列の感光素子から構成された感光センサーの略図である。
【図１４】感光素子アレイから構成された感光センサーの略図である。
【発明を実施するための形態】
【００１９】
以下、図面と実施例を合わせながら本発明を説明する。
実施例１：図１に示すように、本実施例による光学身長測定器は、レンズ１００と感光センサー１０２を備える。
レンズ１００は凸レンズであっても良いし（それに限らない）、又はレンズ１００は小穴式もしくは水平のスロットであってもよい。当該レンズ１００は、駆動装置（図に示されていない）の駆動に従って、被測定者１０４の高度方向と平行する方向に移動するとともに、被測定者１０４に対してイメージングを行うことができる。
【００２０】
感光センサー１０２は前記レンズ１００のイメージを形成する側に設けることができる。
本実施例においては、感光センサー１０２をレンズ１００のイメージ平面と光軸との交差点に設けることにより、形成されたイメージに対して感知測定を行うようになっている。
【００２１】
図２に示す例は、レンズ１００が下から上へ移動する場合を示す。この時、レンズ１００の光軸が被測定者１０４の頭頂の所在高度より高くなると、感光センサー１０２は被測定者１０４のイメージを感知することができない；図３に示す例は、レンズ１００が上から下へ移動する場合を示す。このように、レンズ１００の光軸が被測定者１０４の頭頂の所在高度より低い場合は、感光センサー１０２は被測定者１０４のイメージを感知することができる。これを換言すれば、レンズ１００が被測定者の頭頂の所在高度を越すと、前記感光センサー１０２の感光状態が変化し、その出力がホッピングする。このホッピングした出力に基づくことで、このときのレンズの所在高度を被測定者の身長と確定することができる。
【００２２】
本実施例において、前記レンズ１００は被測定者１０４から発した赤外線に基づきイメージングを行い、前記感光センサー１０２は被測定者の赤外線映像を感知して測定する。
初期位置において、感光センサー１０２の高度が被測定者１０４の身長より低い場合、被測定者１０４から発した赤外線はレンズ１００を介して感光センサー１０２にイメージングされ、感光センサー１０２からの信号はプロセッサーユニットへ送信される。プロセッサーユニットの制御で、駆動装置はレンズ１００と感光センサー１０２を同期に上方へ移動するように駆動する。そして、前記の移動につれて、被測定者１０４のイメージもレンズ１００の光軸に対して変化する。感光センサー１０２と被測定者１０４の頭頂とが同一高度になると、被測定者１０４の赤外線イメージング範囲は初めて感光センサー１０２を越し、感光センサー１０２は被測定者１０４から発した赤外線が受光できなくなる。この時、プロセッサーユニットは、感光センサー１０２の感光状態の変化により、レンズ１００の上方への運動を中止するように駆動装置を制御するとともに、感光センサー１０２の感光状態が変化する時のレンズ１００の位置に基づき、被測定者１０４の身長を算出する。
【００２３】
逆に、初期位置において、感光センサー１０２の高度が被測定者１０４の身長より高い場合、被測定者１０４から発した赤外線はレンズ１００を介して感光センサー１０２にイメージングすることができない。この場合、駆動装置はレンズ１００と感光センサー１０２を同期に下方へ移動するように駆動する。感光センサー１０２と被測定者１０４の身長とが同一高度になると、被測定者１０４の赤外線は初めて感光センサー１０２に受光されるようになる。この時、プロセッサーユニットはレンズ１００の下方への移動を中止するように駆動装置を制御するとともに、感光センサー１０２の感光状態が変化する時のレンズ１００の位置に基づき、被測定者１０４の身長を算出する。
【００２４】
感光センサー１０２の垂直方向における寸法が計器全体の精度に直接的に影響するので、できるだけ小さい寸法を選択すべきであり、一般的にほぼ０．１ｍｍとする。
当然ながら、駆動装置の精度も測定精度に比較的大きい影響を及ぼす。一般的には、正確な身長値を得るように、ステッピングモーター又は別の機構を用いて駆動装置のストロークを測定することができる。
【００２５】
本実施例による測定器に関しては、測定機器を被測定者と接触させることがない。被測定者が一定の範囲内に立ちさえすれば、当該計器が迅速で、正確に被測定者の身長を得ることができるので、より便利である。
なお、本実施例による身長測定器は、サブ光源１０６を含むようにしてもよい。図４に示すように、測定時、サブ光源１０６が被測定者１０４の頭頂に置かれ、レンズ１００は前記サブ光源１０６に対してイメージングを行う。サブ光源１０６は所定波長の光線を発出し、前記感光センサー１０２は相応的に前記サブ光源から発した所定波長の光線を感知して測定する。図５に示すように、サブ光源１０６はトリガースイッチ１０８を含んでもよい。前記サブ光源１０６が被測定者１０４の頭頂に置かれると、前記トリガースイッチ１０８が閉じて、さらに前記サブ光源１０６が起動するようになる。
【００２６】
図６に示す例は、レンズ１００が下から上へ移動する場合を示す。この時、レンズ１００の光軸がサブ光源１０６の所在高度より高い場合、サブ光源１０６のイメージはレンズ１００の光軸の上方にあり、感光センサー１０２はサブ光源１０６のイメージを感知して測定することができない；図７に示す例は、レンズ１００が上から下へ移動する場合を示す。この時、レンズ１００の光軸がサブ光源１０６の所在高度より低い場合、サブ光源１０６のイメージはレンズ１００の光軸の下方にあり、感光センサー１０２は同じくサブ光源１０６のイメージを感知して測定することができない；図８に示すように、レンズ１００の光軸とサブ光源１０６とが同一高度にある場合、サブ光源１０６のイメージはちょうどレンズ１００の光軸上に位置し、感光センサー１０２はサブ光源１０６のイメージを感知して測定することができる。これを換言すれば、レンズ１００がサブ光源１０６の所在高度を越す時、前記感光センサー１０２の感光状態が変化され、その出力がホッピングする。この時、レンズ１００の所在高度Ｌ３からサブ光源１０６の高度Ｌ４を差し引くことで、被測定者の身長が求められる。
【００２７】
干渉を減少するために、被測定者１０４又はサブ光源１０６と感光センサー１０２との間の光路にフィルター１１０をさらに設けることができる。当該フィルターは、被測定者１０４から発した赤外線或いはサブ光源１０６から発出した所定波長の光線のみを通すことを許すのである。図９に示すように、本実施例において、フィルター１１０を感光センサー１０２の前方に設けることが好ましい。
【００２８】
また、本実施例による身長測定器は、プロセッサーユニットに接続して、測定結果を表示するための表示ユニットを含むようにしてもよい。
実施例２：図１０に示すように、本実施例による光学身長測定器は、少なくとも二つのレンズ及び各レンズイメージ側に設けられた感光センサーを備える。被測定者の身長範囲が比較的大きい場合に精度を保証するため、被測定者の高度方向と平行する方向（縦方向）に複数個、例えば３個、４個、５個等のレンズを間隔で配置することができる。ここでは、２個のレンズを用いた例として、本実施例による身長測定器について説明する。
【００２９】
図１０に示すように、被測定者の高度方向と平行する方向（縦方向）に二つのレンズ、つまり、第１レンズ２００と第２レンズ２０２が配置され、各レンズのイメージ側にそれぞれ感光センサー２０６と２０８が配置されている。第１レンズ２００と第２レンズ２０２はレンズで構成するほか、小穴式又は水平のスロットであってもよい。
図１１に示すように、本実施例では、感光センサー２０６と２０８をそれぞれ第１レンズ２００と第２レンズ２０２のイメージ平面に設けることが好ましい。
【００３０】
被測定者２０４の頭頂部は、第１レンズ２００と第２レンズ２０２との間にある。第１レンズ２００と第２レンズ２０２はそれぞれ被測定者の頭頂から発した赤外線により、被測定者の頭頂に対してイメージングを行う。これにより、感光センサー２０６と２０８はそれぞれ被測定者の頭頂のイメージから光軸までの距離を感知して測定し、且つそれに基づいて被測定者２０４の身長を算出する。
【００３１】
図１０と図１１に示すように、第１レンズ２００と第２レンズ２０２との距離をＬ０、被測定者の頭頂から第１レンズ２００及び第２レンズ２０２までの距離をそれぞれＬ１及びＬ２、第１レンズ２００の高度をＬ３とする；被測定者の頭頂が第１レンズ２００及び第２レンズ２０２を通して形成されたイメージから光軸までの距離をそれぞれＭ１及びＭ２とする。
【００３２】
図１１に示すように、第１レンズ２００と第２レンズ２０２が同一の垂直線に位置し、且つその光軸が平行している。それにより、
ＢＣ＝Ｂ’Ｃ’，ＣＤ＝Ｃ’Ｄ’；                                    （１）
直角三角形DＡＢＣは直角三角形DＥＤＣと相似であることから、
ＡＢ／ＤＥ＝ＢＣ／ＤＣ，つまり、
Ｌ１／Ｍ１＝ＢＣ／ＤＣ                                            （２）
が得られる。
【００３３】
上記と同様な理由で、直角三角形DＡ’Ｂ’Ｃ’は直角三角形DＥ’Ｄ’Ｃ’と相似であることから、
Ｌ２／Ｍ２＝Ｂ’Ｃ’／Ｄ’Ｃ’                                    （３）
が得られる。
式（１）、式（２）及び式（３）を組み合わせることにより、
Ｌ１／Ｌ２＝Ｍ１／Ｍ２
が得られる。
【００３４】
また、Ｌ１＋Ｌ２＝Ｌ０、それ故、Ｌ１／Ｌ０＝Ｍ１／（Ｍ１＋Ｍ２）、即ち、
Ｌ１＝（Ｍ１／（Ｍ１＋Ｍ２））＊Ｌ０
が得られる。
従って、被測定者の身長Ｈは、
Ｈ＝Ｌ３＋Ｌ１＝Ｌ３＋（Ｍ１／（Ｍ１＋Ｍ２））＊Ｌ０
という式を満足している。
【００３５】
上記の式から分かるように、Ｌ０とＬ３は予め確定しているので、感光センサーが感知し測定した被測定者の頭頂のイメージの高さＭ１とＭ２に基づいて、被測定者の身長を算出することができる。
また、本実施例ではサブ光源を用いて測定することもできる。図５に示すように、サブ光源の構造は実施例１における構造と同じであり、トリガースイッチを備える。測定時、サブ光源２１０が被測定者の頭頂に置かれると、当該サブ光源２１０は所定波長の光線を発出する。第１レンズ２００及び第２レンズ２０２は前記サブ光源２１０に対してイメージングを行い、感光センサー２０６と２０８が相応な波長のイメージを感知して測定を行う。図１２に示すように、第１レンズ２００と第２レンズ２０２との距離をＬ０、サブ光源２１０から第１レンズ２００及び第２レンズ２０２までの距離をそれぞれＬ１及びＬ２、第１レンズ２００の高度をＬ３、サブ光源２１０の高度をＬ４とする；サブ光源２１０の第１レンズ２００及び第２レンズ２０２を通して形成されたイメージから光軸までの距離をそれぞれＭ１及びＭ２とする。上記と同様な理由で、被測定者の身長Ｈは、
Ｈ＝Ｌ３＋Ｌ１−Ｌ４＝Ｌ３−Ｌ４＋（Ｍ１／（Ｍ１＋Ｍ２））＊Ｌ０
という式を満足している。
【００３６】
図１３と１４に示すように、本実施例において、感光センサー２０６と２０８は単列の感光ユニット２１２から構成してもよいし、又は感光ユニット２１２のアレイで構成してもよい。
また、被測定者２０４又はサブ光源２１０と、感光センサー２０６、２０８との間の光路にフィルターを設け、干渉を減少させることもできる。当該フィルターは、被測定者２０４の頭頂から発した赤外線或いはサブ光源２１０から発出した所定波長の光線のみを通すことを許す。本実施例では、フィルターを感光センサー２０６と２０８の前方に設けることが好ましい。
【００３７】
さらに、本実施例による身長測定器は、プロセッサーユニットに接続して、測定結果を表示するための表示ユニットを含むようにしてもよい。
また、本実施例による身長測定器は、被測定者の頭頂又はサブ光源を第１レンズ２００と第２レンズ２０２との間に存在させるように、第１レンズ２００と第２レンズ２０２を駆動するための駆動装置を含むようにしてもよい。この場合、第１レンズ２００の高度Ｌ３は実施例１と同様な方式で確定することができる。被測定者の身長の計算方式は、上記と同様である。
【００３８】
本発明は、以上の具体的な実施例を通して説明されたが、それらの具体的な実施例に限らない。また、本発明に対する修正や変更を行うことも許される。それ以外、本願説明書及び権利請求書に使われている術語、例えば、「第１」、「第２」などは、単に記載を便宜的にするためのものであり、本発明を制限するものではない。
【産業上の利用可能性】
【００３９】
本発明の身長測定器は、人の身長を正確に測定するための光学身長測定器（身長計）として利用することが可能である。
【符号の説明】
【００４０】
１００    レンズ
１０２、２０６、２０８    感光センサー
１０４、２０４    被測定者
１０６、２１０    サブ光源
１０８    トリガースイッチ
１１０    フィルター
２００    第１レンズ
２０２    第２レンズ
２１２    感光ユニット
【図１】
2010516354.tif 000003
【図２】
2010516354.tif 000004
【図３】
2010516354.tif 000005
【図４】
2010516354.tif 000006
【図５】
2010516354.tif 000007
【図６】
2010516354.tif 000008
【図７】
2010516354.tif 000009
【図８】
2010516354.tif 000010
【図９】
2010516354.tif 000011
【図１０】
2010516354.tif 000012
【図１１】
2010516354.tif 000013
【図１２】
2010516354.tif 000014
【図１３】
2010516354.tif 000015
【図１４】
2010516354.tif 000016
【手続補正書】
【提出日】平成21年7月23日(2009.7.23)
【手続補正１】
【補正対象書類名】特許請求の範囲
【補正対象項目名】全文
【補正方法】変更
【補正の内容】
【特許請求の範囲】
【請求項１】
被測定者の高度方向と平行して移動され、且つ被測定者のイメージングを行うためのレンズと、
前記レンズのイメージの形成を行う側に設けられ、且つ形成したイメージに対して感知測定を行う感光センサーと、
前記レンズを被測定者の高度方向と平行する方向で往復して移動するように駆動させる駆動装置と、
を備え、
前記レンズが被測定者の頭頂の所在高度を越すときにホッピングする前記感光センサーの出力に基づき、この時のレンズの所在高度により被測定者の身長を確定する
ことを特徴とする光学身長測定器。
【請求項２】
被測定者の頭頂に置くためのサブ光源をさらに備え、
前記レンズにより前記サブ光源に対してイメージングを行い、前記レンズがサブ光源の所在高度を越すときにホッピングする前記感光センサーの出力に基づき、この時のレンズの所在高度及びサブ光源から被測定者までの高さにより被測定者の身長を確定する
ことを特徴とする請求項１に記載の光学身長測定器。
【請求項３】
前記感光センサーは前記レンズのイメージ平面と光軸との交差点に設けられている
ことを特徴とする請求項１に記載の光学身長測定器。
【請求項４】
前記感光センサーの出力のホッピングは、前記レンズが被測定者の頭頂の所在高度又はサブ光源の所在高度を越すときに、前記感光センサーが被測定者又はサブ光源のイメージを検出しはじめ、又は検出できなくなることで生じる
ことを特徴とする請求項１に記載の光学身長測定器。
【請求項５】
被測定者の高度方向と平行する方向に間隔で配置された少なくとも二つのレンズと、
各レンズのイメージ側に設けられた感光センサーとを備え、
前記少なくとも二つのレンズは、被測定者の頭頂に対してイメージングを行うことに用いられ、
前記各感光センサーが感知して測定した被測定者の頭頂のイメージから光軸までの距離及び前記各レンズの高さに基づき、被測定者の身長を確定する
ことを特徴とする光学身長測定器。
【請求項６】
前記レンズは被測定者から発した赤外線によりイメージングを行い、
前記感光センサーは被測定者の赤外線映像を感知して測定することに用いられる
ことを特徴とする請求項１又は５に記載の光学身長測定器。
【請求項７】
被測定者の頭頂に置くためのサブ光源をさらに備え、
前記少なくとも二つのレンズはサブ光源に対してイメージングを行うことに用いられ、
前記各感光センサーが感知して測定したサブ光源の映像から光軸までの距離、前記各レンズの高さ及びサブ光源から被測定者の頭頂までの距離に基づき、被測定者の身長を確定する
ことを特徴とする請求項５に記載の光学身長測定器。
【請求項８】
前記サブ光源は所定波長の光線を発出するものであり、
前記感光センサーは相応的に前記サブ光源から発出した所定波長の光線を感知して測定する
ことを特徴とする請求項２又は７に記載の光学身長測定器。
【請求項９】
前記レンズを被測定者の高度方向と平行する方向で往復して移動させるように駆動する駆動装置をさらに備える
ことを特徴とする請求項1又は５に記載の光学身長測定器。
【請求項１０】
被測定者と感光センサーとの間の光路に設けられ、且つ被測定者から発した赤外線又はサブ光源から発出した所定波長の光線のみを通すことを許すフィルターをさらに備える
ことを特徴とする請求項１乃至７のいずれか１項に記載の光学身長測定器。
【請求項１１】
前記レンズは少なくとも一つの凸レンズを備え、又は前記レンズは小穴式又はスロット式である
ことを特徴とする請求項１乃至５のいずれか１項に記載の光学身長測定器。
【請求項１２】
前記感光センサーは前記レンズのイメージ平面に設けられる
ことを特徴とする請求項５に記載の光学身長測定器。
【請求項１３】
前記少なくとも二つのレンズは、被測定者の高度方向と平行する同一直線に設けられ、且つレンズの光軸が互いに平行するように配されている
ことを特徴とする請求項５に記載の光学身長測定器。
【請求項１４】
前記感光センサーは単列の感光ユニット又は感光ユニットアレイから構成される
ことを特徴とする請求項１乃至９のいずれか１項に記載の光学身長測定器。
【請求項１５】
被測定者の身長を計算するためのプロセッサーユニットと、
測定結果を表示するための表示ユニットと、
をさらに備える
ことを特徴とする請求項１乃至９のいずれか１項に記載の光学身長測定器。
【国際調査報告】
2010516354.tif 000017
2010516354.tif 000018
2010516354.tif 000019
2010516354.tif 000020
2010516354.tif 000021
2010516354.tif 000022